(57)【要約】【課題】樹脂を用いた構造体において皮表面のような装飾的外観を与える。【解決手段】フロントカバー１の裏面には裏面波形状部１５が形成されている。さらに、この裏面波形状部１５の凸部に例えば当接するように、フロントキャビネット１１が配置されている。尚、フロントカバー１は例えば透明材料又は半透明材料により形成されており、フロントキャビネット１１は、不透明又は透明度の低い材料により形成されている。【選択図】図４
2008168500.tif 000002
【特許請求の範囲】
【請求項１】
透明板体と不透明な外表面を有する不透明部材とが、互いの面と面とが向かい合うように隣接して配置される装飾体構造であって、
前記透明板体の前記不透明部材側に升目状に複数の凹部又は凸部が設けられていることを特徴とする装飾体構造。
【請求項２】
透明板体と不透明な外表面を有する不透明部材とが、互いの面と面とが向かい合うように隣接して配置される装飾体構造であって、
前記不透明部材の前記透明板体側に升目状に複数の凹部又は凸部が設けられていることを特徴とする装飾体構造。
【請求項３】
前記不透明部材は、有色材により形成されていることを特徴とする請求項１又は２に記載の装飾体構造。
【請求項４】
前記升目の大きさを変更することにより装飾効果を調整することを特徴とする請求項１から３までのいずれか１項に記載の装飾体構造。
【請求項５】
前記凹部の深さ、凸部の高さを変更することにより装飾効果を調整することを特徴とする請求項１から３までのいずれか１項に記載の装飾体構造。
【請求項６】
前記凹部又は凸部の間隔を変更することにより装飾効果を調整することを特徴とする請求項１から３までのいずれか１項に記載の装飾体構造。
【請求項７】
前記透明部材と前記不透明部材との間隔を変更することにより装飾効果を調整することを特徴とする請求項１から３までのいずれか１項に記載の装飾体構造。
【請求項８】
不透明の樹脂を筐体として有する機器に用いられる透明な外囲ケースであって、
内面に升目状に複数の凹部又は凸部が設けられていることを特徴とする外囲ケース。
【発明の詳細な説明】
【技術分野】
【０００１】
本発明は、装飾構造体に関し、特に機器の外観に関する装飾を行うための装飾構造体に関する。
【背景技術】
【０００２】
従来から、機器などの外観に関する装飾を行う方法が提案されている。例えば、被装飾部品や被装飾機器などの表面や裏面に塗装を行うことにより外観に装飾が行われている。例えば、下記特許文献１に記載のように、透明樹脂材料により表面と裏面とを有する部品を成形し、この部品の裏面に接着剤を塗布し、この接着剤の上に色付き又は光沢性の微細片を分散散布し、その上に各種色調の塗装を施す技術が記載されている。
【０００３】
【特許文献１】特開２００１−３４７７９６号公報
【発明の開示】
【発明が解決しようとする課題】
【０００４】
しかしながら、特許文献１に記載のように、樹脂に塗装を施す技術によれば、表面は単純な光沢仕上げになってしまい、例えば皮表面のような質感をもたせることが難しいという問題がある。また、塗装は熟練作業であり、かつ、塗装費用が高いという問題がある。
【０００５】
本発明は、樹脂を用いた構造体において皮表面のような装飾的外観を与えることを目的とする。
【課題を解決するための手段】
【０００６】
本発明の一観点によれば、透明板体と不透明な外表面を有する不透明部材とが、互いの面と面とが向かい合うように隣接して配置される装飾体構造であって、前記透明板体の前記不透明部材側に升目状に複数の凹部又は凸部が設けられていることを特徴とする装飾体構造が提供される。
【０００７】
また、透明板体と不透明な外表面を有する不透明部材とが、互いの面と面とが向かい合うように隣接して配置される装飾体構造であって、前記不透明部材の前記透明板体側に升目状に複数の凹部又は凸部が設けられていることを特徴とする装飾体構造が提供される。前記不透明部材は、有色材により形成されていることが好ましい。
【０００８】
前記升目の大きさを変更することにより装飾効果を調整することもでき、前記凹部の深さ、凸部の高さを変更することにより装飾効果を調整することもでき、前記凹部又は凸部の間隔を変更することにより装飾効果を調整することもできる。
本発明の他の観点によれば、不透明の樹脂を筐体として有する機器に用いられる透明な外囲ケースであって、内面に升目状に複数の凹部又は凸部が設けられていることを特徴とする外囲ケースが提供される。
【発明の効果】
【０００９】
本発明によれば、表面は凹凸のない光沢表面を有し、かつ、皮表面のような装飾的外観を与えることができるという効果がある。
【発明を実施するための最良の形態】
【００１０】
本発明は、例えば透明樹脂材料または半透明樹脂材料により表面と裏面とを有する部品を成形し、該部品の裏面に球面上の凹面をマス目状に持たせることを特徴とする。
【００１１】
以下、本発明の第１の実施の形態による装飾体構造について図面を参照しながら説明を行う。図１は、本実施の形態による装飾体構造を用いた機器の構成例を示す斜視図である。図１に示すように、本実施の形態では、例として液晶テレビに用いられる表示装置Ａを示している。図１に示すように、表示装置Ａは、ＬＣＤ表示画面３と、この表示画面３の額縁を形成するフロントカバー１と、裏カバー５と、を有している。ここで、フロントカバー１の装飾技術を例にして説明する。
【００１２】
図２から図４までは、フロントカバー１の角部近傍の構成例を示す図である。図２は、フロントカバーの一部を裏面から見た図であり、図３（Ａ）は、図２のＡ−Ｂ線に沿う断面図であり、図３（Ｂ）は図３（Ａ）を拡大した断面図である。図４は、フロントカバーとその裏面側に配置されたフロントキャビネットとを含む構造の一断面図である。図２及び図３（Ａ）、（Ｂ）に示すように、フロントカバー１の裏面１ａのある領域１ｂには、例えば交差する第１の方向１ｃ及び第２の方向１ｄによって画定される升目領域１ｅが形成されている。交差角は、例えば９０度である。より詳細にみると、図３（Ａ），（Ｂ）に示すように、フロントカバー１の裏面には、升目領域１ｅのほぼ全体に複数の凹曲面が形成されている。すなわち、図４に示すように、フロントカバー１の裏面には裏面波形状部１５が形成されている。さらに、この裏面波形状部１５の凸部に例えば当接するように、フロントキャビネット１１が配置されている。フロントカバー１とフロントキャビネット１１とが、互いの面と面とが向かい合いように隣接して配置される構造である。すなわち、フロントカバー１の裏面とフロントキャビネット１１の面とが、当接又当接状態から面の法線方向にある距離だけ離されて配置されている。尚、フロントカバー１は例えば透明材料又は半透明材料により形成されており、フロントキャビネット１１は、不透明又は透明度の低い材料により形成されている。半透明でも良い。面内のある領域が不透明であっても良い。
【００１３】
尚、これらの構造の外周には飾り部品１７がはめ込まれている。このような構造を、図５に示すように、フロントカバー１の表面側Ｘから見ると、略フロントキャビネット１１の色合いであり、かつ、升目領域１ｅのほぼ全体に複数の凹曲面により、あたかも皮製品のような皮革の皺(しわ)を有するように見える。従って、樹脂であるにもかかわらず、皮仕上げのような高級感を出すことができる。また、奥部が凹レンズのような機能を有することで、この皺(しわ)が見た方向によって異なる形状に見えたり、不均一になったりすることで、さらに一品物のような高級感を出すことができる。
【００１４】
図６（Ａ）〜（Ｄ）までは、フロントカバー１の変形例を示す図である。図６（Ａ）は、凹曲面１ｅであるが、それぞれの凹曲面が接していない構造を有している。図６（Ｂ）は、三角錐の内面に似た形状の凹部を有している。図６（Ｃ）に示す構造は、凸曲面の形状１ｆを有している。図６（Ｄ）に示す構造は、三角錐の外面に似た形状の凸部を有している。これらの形状の違いにより、異なる皺(しわ)の形状を持たせることができる。
【００１５】
尚、上記のような形状を形成する方法としては、フロントカバー１の製造時に射出成形法を用いる場合には、その金型の形状を図６に示す形状に対応する形状にしておく方法が好ましい。また、１つのフロントカバーで領域によって図６（Ａ）〜図６（Ｄ）に示す形状のうちから選択された２以上を形成するようにしても良い。
【００１６】
また、フロントカバー１を裏面１ａから見た場合に、図７（Ａ）のように正方形などの矩形が並ぶ形状、図７（Ｂ）に示すように、菱形が並ぶ形状、図７（Ｃ）に示すように、曲線１ｂ、１ｃの一部によって囲まれた変形形状などのいずれにしても良い。升目に関して任意の形状を形成することができるため、装飾に関する自由度が高くなる。
【００１７】
さらに、図８（Ａ）に示すように、裏面１ａにおいて升目１ｅをある特定の領域だけに形成したり（図では、Ａの文字の領域のみに形成している）、図８（Ｂ）に示すように、裏面１ａにおいて升目１ｅをある特定の領域以外の領域だけに形成したり（図では、Ａの文字の領域以外の領域にのみに形成している）することで、ある文字や絵などによる装飾を行うことも可能である。
【００１８】
また、以下のように、装飾を調整することも可能である。
（１）マス目の大きさを変更することで、装飾効果を変化させる。
（２）凹部の深さ、凸部の高さを調整することによって装飾効果を変化させる。
（３）凹部間の間隔を変更することによって装飾効果を変化させる。
（４）フロントカバーとフロントキャビネットとの間隔を調整することで装飾効果を変化させる。
【００１９】
上記に関しては、凹部、凸部は、レンズと同様の機能を有するため、光学的な設計が可能である。
【００２０】
次に、本発明の第２の実施の形態による装飾構造体について図面を参照しながら説明を行う。図９は、本実施の形態による装飾構造体の構成例を示す断面図であり、図４に対応する図である。図９に示すように、フロントカバー１の裏面ではなく、フロントキャビネット１１のフロントカバー１側に筐体表面波形状部１５が形成されている。さらに、この筐体表面波形状部１５の凸部に例えば当接するように、フロントカバー１が配置されている。図１０（Ａ）は凹部１１ａが、図１０（Ｂ）は凸部１１ｂが形成される例を示す図である。尚、フロントカバー１は例えば透明材料又は半透明材料により形成されており、フロントキャビネット１１は、不透明又は透明度の低い材料により形成されている点は、第１の実施の形態と同様である。このような構造においても、第１の実施の形態と同様の装飾効果を発揮する。
【００２１】
次に、本発明の第３の実施の形態について説明する。図１１は、不透明の樹脂を筐体として有する機器であって、例えばミュージックプレイヤー５１の一例を示す図である。ミュージックプレイヤー５１は、不透明な外表面をもち、表示部５３と、操作部５５と、を有している。一方、その機器５１用の外囲ケース５７は透明であり、その内面には、交差する線５７ａ、５７ｂにより升目が形成されている。より詳細には、上述のような凹部又は凸部が多数形成されている。このような装飾体構造により、ミュージックプレイヤー５１を外囲ケース５７に入れた状態で、不透明な外表面と升目により、あたかも皮製品のような皮革の皺(しわ)を有するように見せることができる。尚、機器は、電子機器を含む種々の機器に適用可能である。
【産業上の利用可能性】
【００２２】
本発明は、機器の装飾体構造として利用可能である。
【図面の簡単な説明】
【００２３】
【図１】本発明の第１の実施の形態による装飾体構造を用いた機器の構成例を示す斜視図である。
【図２】図２は、フロントカバーの一部を裏面から見た図である。
【図３】図３（Ａ）は、図２のＡ−Ｂ線に沿う断面図であり、図３（Ｂ）は図３（Ａ）を拡大した断面図である。
【図４】図４は、フロントカバーとその裏面側に配置されたフロントキャビネットとを含む構造の一断面図である。
【図５】フロントカバー１の表面側Ｘから見た様子を示す図である。
【図６】フロントカバー１の変形例を示す図である。図６（Ａ）は、凹曲面１ｅであるが、それぞれの凹曲面が接していない構造を有している。図６（Ｂ）は、三角錐の内面に似た形状の凹部を有している。図６（Ｃ）に示す構造は、凸曲面の形状１ｆを有している。図６（Ｄ）に示す構造は、三角錐の外面に似た形状の凸部を有している。
【図７】フロントカバーを裏面から見た場合の図であり、図７（Ａ）のように正方形などの矩形が並ぶ形状、図７（Ｂ）に示すように、菱形が並ぶ形状、図７（Ｃ）に示すように、曲線の一部によって囲まれた変形形状などのいずれにしても良い。
【図８】図８（Ａ）は、裏面において升目をある特定の領域だけに形成した図であり、図８（Ｂ）は、裏面において升目をある特定の領域以外の領域だけに形成した図である。
【図９】本発明の第２の実施の形態による装飾構造体の構成例を示す断面図であり、図４に対応する図である。
【図１０】図１０（Ａ）は凹部１１ａが、図１０（Ｂ）は凸部１１ｂが形成される例を示す図である。
【図１１】本発明の第３の実施の形態による装飾体構造であって、不透明の樹脂を筐体として有する機器と、その外囲ケースとを含む装飾体構造を示す図である。
【符号の説明】
【００２４】
Ａ…表示装置、１…フロントカバー、１ａ…フロントカバーの裏面、１ｃ…第１の方向、１ｄ…第２の方向、１ｅ…升目領域、３…ＬＣＤ表示画面、５…裏カバー、１５…裏面波形状部。
【図１】
2008168500.tif 000003
【図２】
2008168500.tif 000004
【図３】
2008168500.tif 000005
【図４】
2008168500.tif 000006
【図５】
2008168500.tif 000007
【図６】
2008168500.tif 000008
【図７】
2008168500.tif 000009
【図８】
2008168500.tif 000010
【図９】
2008168500.tif 000011
【図１０】
2008168500.tif 000012
【図１１】
2008168500.tif 000013